(57)【特許請求の範囲】
【請求項１】
色相が黒である黒インクと、色相がシアンである濃シアンインクと、色相がシアンであり前記濃シアンインクに比べ明度が高い淡シアンインクと、色相がマゼンダである濃マゼンダインクと、色相がマゼンダであり前記濃マゼンダインクに比べ明度が高い淡マゼンダインクと、色相がイエローであるイエローインクと、を用いてシアンとマゼンダとイエローによって示される画像データを印刷するプリンタであって、
前記画像データに基づいて、前記黒とシアンとマゼンダとイエローの各色相について前記画像データを印刷するためのインク使用量を設定する黒発生部と、
前記黒発生部が設定した前記黒インクの使用がなかった場合を想定したシアン、マゼンダ、イエローについて設定されたインクの使用量となるように、前記黒発生部が設定した前記シアンと前記マゼンダと前記イエローの各色相についてのインク使用量を再設定する濃淡振分用信号発生部と、
前記濃淡振分用信号発生部が再設定したインク使用量に基づいて、前記濃シアンインクと前記淡シアンインクと前記濃マゼンダインクと前記淡マゼンダインクと前記イエローインクのインク使用量を設定する仮濃淡振分部と、
前記仮濃淡振分部が設定したインク使用量と、前記黒発生部が設定した前記黒インクの使用量とに基づいて、前記仮濃淡振分部が設定した前記濃シアンインクと前記淡シアンインクと前記濃マゼンダインクと前記淡マゼンダインクと前記イエローインクのインク使用量を再設定する黒成分除去部と、
前記黒成分除去部が再設定したインク使用量と、前記黒発生部が設定した前記黒インクの使用量との総和が所定の上限値を超えないように前記画像データを印刷する印刷部と、
を備えることを特徴とするプリンタ。
【請求項２】
請求項１記載のプリンタであって、
前記濃淡振分用信号発生部は、前記黒発生部が設定した前記黒インクの使用量に
所定の係数を乗じた値を、前記黒発生部が設定した前記シアンと前記マゼンダと前記イエローの各色相についてのインク使用量にそれぞれ加えることで前記黒発生部が設定した前記シアンと前記マゼンダと前記イエローの各色相についてのインク使用量を再設定し、
前記黒成分除去部は、前記仮濃淡振分部が設定したインク使用量から前記黒発生部が設定した前記黒インクの使用量に前記所定の係数を乗じた値を差し引くことで前記仮濃淡振分部が設定した前記濃シアンインクと前記淡シアンインクと前記濃マゼンダインクと前記淡マゼンダインクと前記イエローインクのインク使用量を再設定し、
前記所定の係数は、所定のインク量の黒インクを用いて印刷したパッチの色彩値と等しい色彩値を再現するシアン、マゼンダ、イエローの各色相についてのインク使用量に基づいてシアン、マゼンダ、イエローの各色相について決定された値であることを特徴とするプリンタ。
【請求項３】
請求項２記載のプリンタであって、
前記黒成分除去部は、
前記仮濃淡振分部が設定した濃シアンインクのインク使用量から、前記黒発生部が設定した前記黒インクの使用量に前記シアンの色相について決定された係数を乗じた値を差し引くことができない場合、
前記仮濃淡振分部が設定した濃シアンインクのインク使用量を零とし、
前記仮濃淡振分部が設定した淡シアンインクのインク使用量から、前記黒発生部が設定した前記黒インクの使用量に前記シアンの色相について決定された係数を乗じた値を差し引くことで前記濃シアンインクと前記淡シアンインクのインク使用量を再設定し、
前記仮濃淡振分部が設定した濃マゼンダインクのインク使用量から、前記黒発生部が設定した前記黒インクの使用量に前記マゼンダの色相について決定された係数を乗じた値を差し引くことができない場合、
前記仮濃淡振分部が設定した濃マゼンダインクのインク使用量を零とし、
前記仮濃淡振分部が設定した淡マゼンダインクのインク使用量から、前記黒発生部が設定した前記黒インクの使用量に前記マゼンダの色相について決定された係数を乗じた値を差し引くことで前記濃マゼンダインクと前記淡マゼンダインクのインク使用量を再設定することを特徴とするプリンタ。
【発明の詳細な説明】
【０００１】
【発明の属する技術分野】
本発明は、いわゆる濃淡振分を行う技術に関し、例えばカラー印刷において適用することができる。
【０００２】
【従来の技術】
従来から、コンピュータの出力装置として、ヘッドに備えられた複数のノズルから吐出される数色のインクによりドットを形成して画像を記録するインクジェットプリンタが提案されている。当該インクジェットプリンタは、コンピュータが処理した画像データを入力して多色多階調で印刷するために利用されている。かかるインクジェットプリンタは、通常、各画素毎の階調を表現するために、所定領域内に打ち込む複数のドット数を色毎に制御する。
【０００３】
しかし、ある色についてドット数が小さいと画質、特に粒状性が悪化する。そこで同じ色相であっても明度の異なる複数のインクを採用する技術が提案されている。そしていわゆる濃淡振分は、ある色について明度の異なるインクが複数準備されている場合に、これらのインクの使用量をどのように設定するかを決定する処理である。
【０００４】
一方、明度が低い色を表現する際に、いわゆる墨印刷のためのクロ発生処理が採用される場合がある。クロ発生処理によって黒のインクも使用されることにより、明度が低い色はその他の色、例えばシアンやマゼンタ、イエローのインクの使用量が低減されることになる。
【０００５】
クロ発生処理の後に、濃淡振分を行う技術を開示する文献として下記の特許文献１がある。
【０００６】
【特許文献１】
特開平２−２１５５４１号公報
【０００７】
【発明が解決しようとする課題】
濃淡振分は一般に濃淡インクが準備された色についてインクの使用量を設定する処理であるため、黒について設定されたインクの使用量を勘案していなかった。しかしながら、黒について設定されたインクの使用量が少ないような明度の色を表現する場合、粒状性の改善のためには黒以外のインクは明度の高いインクを採用することが望ましい。その一方で、黒について設定されたインクの使用量が多いような明度の色を表現する場合、使用するインク量を低減するためには黒以外のインクは明度の低いインクを採用することが望ましい。
【０００８】
本発明は上記の事情に鑑みてなされたものであって、所定の色について他の色の、例えばシアンやマゼンタについて黒の、使用量を考慮して適切な濃淡振分を行う技術を提供することを目的とする。
【０００９】
【課題を解決するための手段】
この発明のうち第１の態様にかかるものはインクの使用量決定方法であって、第１色乃至第３色と、前記第１色乃至第３色の減法混色の結果得られる第４色とのそれぞれについて設定されたインクの使用量に基づいて、少なくとも前記第１色について準備された、明度の異なる複数のインクの使用量を決定する。そして下記ステップ（ａ−１），（ｂ−１），（ｃ−１）を備える。即ちステップ（ａ−１）においては、前記第１色について設定された前記インクの使用量に対して、前記第４色について設定された前記インクの使用量に第１の係数を乗じた値を加算して、前記第１色についての濃淡振分用インク量を求める。またステップ（ｂ−１）においては、前記第１色についての前記濃淡振分用インク量に基づいて、前記第１色について準備された、前記明度の異なる複数のインクの仮使用量を決定する。そしてステップ（ｃ−１）においては、前記第１色についての前記明度の異なる複数のインクの仮使用量のうち、明度の低いインクから優先して、前記第４色について設定された前記インクの使用量に前記第１の係数を乗じた値を差し引く。
【００１０】
前記ステップ（ｃ−１）において、前記第４色について設定された前記インクの使用量に前記第１の係数を乗じた値が、前記第１色について最も明度の低いインクの前記仮使用量よりも多い場合、両者の差に前記第１色についての所定の係数を、前記第１色について二番目に明度が低いインクの前記仮使用量から差し引き、前記第１色についての前記明度の異なる複数のインクの前記仮使用量のうちで最も明度の低いものを零としてもよい。前記第１色についての前記所定の係数は、同じ明度を与える前記第１色について二番目に明度が低いインクの前記第１色について最も明度の低いインクに対する使用量の比である。
【００１１】
望ましくは、前記第２色についても、明度の異なる複数のインクが準備され、下記ステップ（ａ−２），（ｂ−２），（ｃ−２）を更に備える。即ちステップ（ａ−２）においては、前記第２色について設定された前記インクの使用量に対して、前記第４色について設定された前記インクの使用量に第２の係数を乗じた値を加算して、第２色についての濃淡振分用インク量を求める。またステップ（ｂ−２）においては、前記第２色についての前記濃淡振分用インク量に基づいて、前記第２色について準備された、前記明度の異なる複数のインクの仮使用量を決定する。そしてステップ（ｃ−２）においては、前記第２色についての前記明度の異なる複数のインクの仮使用量のうち、明度の低いインクから優先して、前記第４色について設定された前記インクの使用量に前記第２の係数を乗じた値を差し引く。
【００１２】
前記ステップ（ｃ−２）において、前記第４色について設定された前記インクの使用量に前記第２の係数を乗じた値が、前記第２色について最も明度の低いインクの前記仮使用量よりも多い場合、両者の差に前記第２色についての所定の係数を、前記第２色について二番目に明度が低いインクの前記仮使用量から差し引き、前記第２色についての前記明度の異なる複数のインクの前記仮使用量のうちで最も明度の低いものを零としてもよい。前記第２色についての前記所定の係数は、同じ明度を与える前記第２色について二番目に明度が低いインクの前記第２色について最も明度の低いインクに対する使用量の比である。
【００１３】
望ましくは、前記ステップ（ａ−１）もしくは（ａ−２）の前に実行されるステップ（ｄ）を更に備える。即ちステップ（ｄ）においては前記第１色乃至第３色について設定された色調に基づいて前記第１色乃至第４色について前記インクの使用量を設定する。
【００１４】
この発明のうち第２の態様にかかるものは、第１色乃至第３色について設定されたインクの使用量の濃淡振分を、前記第１色乃至第３色の減法混色の結果得られる第４色について設定されたインクの使用量を考慮して行う、インクの使用量決定方法である。
【００１５】
この発明のうち第３の態様にかかるものは第１の態様、第２の態様の望ましい態様であって、前記第１色乃至第４色は、それぞれシアン、マゼンタ、イエロー、黒である。
【００１６】
第１の態様及びその望ましい変形、第２の態様、並びに第３の態様にかかるインクの使用量決定方法を実現する濃淡振分装置や、当該インクの使用量決定方法を用いてインクの使用量を決定する色補正テーブル、当該色補正テーブルに基づいてインクの使用量を決定する色補正モジュールも本発明の範囲に属する。
【００１７】
【発明の効果】
この発明のうち第１の態様及び第２の態様にかかるインクの使用量決定方法によれば、明度の低い場合における明度の高いインクの使用量を低減することができる。
【００１８】
この発明のうち第３の態様にかかるインクの使用量決定方法によれば、いわゆる墨印刷のためのクロ発生によって明度を設定することができる。
【００１９】
本発明の範囲に属する濃淡振分装置並びに色補正テーブル及び色補正モジュールも、上記の効果を与えることができる。
【００２０】
【発明の実施の形態】
（ア）前提の例示：
実施の形態の詳しい説明に入る前に、本実施の形態において例示的に使用されるインクについて説明する。以下に述べるインクは例示であって、本発明がこれらに限定されるものではない。
【００２１】
第１色としてシアン、第２色としてマゼンタ、第３色としてイエロー、第４色として黒の４色を採用する。第１色たるシアンについては明度が低い濃シアン及び明度が高い淡シアンの、それぞれのインクが準備される。また第２色たるマゼンタについては明度が低い濃マゼンタ及び明度が高い淡マゼンタの、それぞれのインクが準備される。第３色たるイエロー及び第４色たる黒については、いずれも濃淡インクは準備されていない場合を想定している。但し、第３色たるイエローについても明度が低い濃イエロー及び明度が高い淡イエローの、それぞれのインクを準備してもよい。
【００２２】
そして本実施の形態では、このように準備された、濃シアン、淡シアン、濃マゼンタ、淡マゼンタ、イエロー、黒の６色のインクの使用量Ｃ0，Ｌｃ0，Ｍ0，Ｌｍ0，Ｙ0，Ｋ0を、シアン、マゼンタ、イエロー、黒の各色について設定されたインクの使用量Ｃ1，Ｍ1，Ｙ1，Ｋ1に対して決定する技術を説明する。
【００２３】
なお、第４色たる黒は第１色たるシアン、第２色たるマゼンタ、第３色たるイエローの減法混色によって表現可能である。但しここでいう減法混色は色自身についての混色であって、物理的にインクを混合することに限定するものではない。即ち黒について準備されるインクは、シアン、マゼンタ、イエローの各色について準備されたインクを混合して得られるものに限らない。
【００２４】
（イ）発明の前駆的思想の説明：
図１３は発明の前駆的思想を説明するためのブロック図である。まず、表現したい色調は、シアン、マゼンタ、イエローの各色についてそれぞれ設定される、入力信号Ｃi，Ｍi，Ｙiによって示される。そして入力信号Ｃi，Ｍi，Ｙiに基づき、いわゆるクロ発生処理を行って、シアン、マゼンタ、イエロー、黒の各インクについて設定されるインクの使用量Ｃ1，Ｍ1，Ｙ1，Ｋ1が求められる。これらはＫ発生ブロック１００において、例えば式（１）〜（３）の演算が行われて得られる。
【００２５】
【数１】
0004228637.tif 000002
【００２６】
【数２】
0004228637.tif 000003
【００２７】
【数３】
0004228637.tif 000004
【００２８】
但し記号ｍｉｎ（Ｃi，Ｍi，Ｙi）は、入力信号Ｃi，Ｍi，Ｙiの値の最小値を採り、係数ηは適当な定数が選定される。また定数ＫSは０以上に、定数ＫEはＫSよりも大きく、それぞれ設定される。
【００２９】
図１４は、簡単のため、入力信号Ｃi，Ｍi，Ｙiが相互に等しく、グレーを表現する場合において、シアン、マゼンタ、イエロー、黒について設定されるインクの使用量Ｃ1，Ｍ1，Ｙ1，Ｋ1の、入力信号Ｃi，Ｍi，Ｙiに対する関係を示すグラフである。また簡単のためにη＝１としているので、入力信号Ｃi，Ｍi，Ｙiの値がいずれも定数ＫEに等しい場合には、シアン、マゼンタ、イエローの各インクについて設定されるインクの使用量Ｃ1，Ｍ1，Ｙ1はいずれも零となる。入力信号Ｃi，Ｍi，Ｙiの値がいずれも定数ＫSよりも低い場合には黒について設定されるインクの使用量Ｋ1は零となる。よって定数ＫSは黒のインクの使用が発生する下限であると言える。
【００３０】
ＣＭＹ濃淡振分ブロック３００においては、黒以外のシアン、マゼンタ、イエローについて設定されたインクの使用量Ｃ1，Ｍ1，Ｙ1に基づいて、濃シアン、淡シアン、濃マゼンタ、淡マゼンタ、イエローの各色のインクの使用量Ｃ9，Ｌｃ9，Ｍ9，Ｌｍ9，Ｙ9を決定する。
【００３１】
まず仮ＣＭＹ濃淡振分ブロック３１０において、濃シアン、淡シアン、濃マゼンタ、淡マゼンタ、イエローの各色のインクの使用量Ｃ8，Ｌｃ8，Ｍ8，Ｌｍ8，Ｙ8を、シアン、マゼンタ、イエローについて設定されたインクの使用量Ｃ1，Ｍ1，Ｙ1に基づいて設定する。そしてＣＭＹインク量制限ブロック３２０では、Ｋ発生ブロック１００によって得られた黒のインクの使用量Ｋ1との和が、所定の上限値Ｚを超えないように、濃シアン、淡シアン、濃マゼンタ、淡マゼンタ、イエローの各色のインクの使用量が、それぞれＣ9，Ｌｃ9，Ｍ9，Ｌｍ9，Ｙ9に再設定される。
【００３２】
このようなＣＭＹ濃淡振分ブロック３００の機能は公知の技術で実現できる。例えば特開２００２−５９５７１に紹介された手法でインクの総量制限を考慮した濃シアン、淡シアン、濃マゼンタ、淡マゼンタ、イエローの各色のインクの使用量を設定することにより、所定の色を適切な濃淡色の色に振り分けるという効果が得られる。
【００３３】
このようにして得られたインクの使用量Ｃ9，Ｌｃ9，Ｍ9，Ｌｍ9，Ｙ9，Ｋ1が、それぞれ実際に使用すべきインクの使用量Ｃ0，Ｌｃ0，Ｍ0，Ｌｍ0，Ｙ0，Ｋ0として採用される。
【００３４】
簡単のため、仮ＣＭＹ濃淡振分ブロック３１０において、シアン、マゼンタ、イエローのそれぞれの色毎に、即ち色同士が相互に関与することなく、濃淡振分が行われる場合を考える。
【００３５】
まず濃シアンのインク及び淡シアンのインクの使用量Ｃ8，Ｌｃ8を、シアンについて設定されたインクの使用量Ｃ1に基づいて設定する場合について示す。例えばシアンについて設定されたインクの使用量Ｃ1の、濃シアンのインクが発生する入力信号Ｃiについての下限をＣSとし、淡シアンのインクが発生する入力信号Ｃiについての上限をＣEとし、式（４）〜（６）によって濃シアン、淡シアンのインクの使用量Ｃ8，Ｌｃ8を設定する。
【００３６】
【数４】
0004228637.tif 000005
【００３７】
【数５】
0004228637.tif 000006
【００３８】
【数６】
0004228637.tif 000007
【００３９】
但し、定数Ｒｃは、それぞれ同じ明度のシアンを表現するのに必要な淡シアンのインクの使用量の、濃シアンのインクの使用量に対する比である。上限ＣE、下限ＣS、定数Ｒｃは画質の粒状性に鑑みて適切に設定される。
【００４０】
図１５は濃シアン、淡シアンのインクの使用量Ｃ8，Ｌｃ8の、シアンについて設定されたインクの使用量Ｃ1に対する関係を示すグラフであり、式（４）〜（６）を表している。
【００４１】
式（６）で示されるとおり、上限ＣEよりも、シアンについて設定されたインクの使用量Ｃ1が大きい場合には、濃シアンのインクの使用量Ｃ8はシアンについて設定されたインクの使用量Ｃ1と等しい。よってこの場合のＣ1，Ｃ8の関係を示すグラフは、破線で示された傾き１の直線に載る。
【００４２】
一方、式（４）で示されるとおり、シアンについて設定されたインクの使用量Ｃ1が下限ＣS以下の場合には、淡シアンのインクの使用量Ｌｃ8はシアンについて設定されたインクの使用量Ｃ1のＲｃ倍になる。よってこの場合のＣ1，Ｌｃ8の関係を示すグラフは、鎖線で示された傾きＲｃの直線に載る。
【００４３】
次に、濃マゼンタのインク及び淡マゼンタのインクの使用量を、マゼンタについて設定されたインクの使用量Ｍ1に基づいて設定する場合について示す。例えばマゼンタについて設定されたインクの使用量Ｍ1の、濃マゼンタのインクが発生する入力信号Ｍiについての下限をＭSとし、淡マゼンタのインクが発生する入力信号Ｍiについての上限をＭEとし、式（７）〜（９）によって濃マゼンタ、淡マゼンタのインクの使用量Ｍ8，Ｌｍ8を設定する。
【００４４】
【数７】
0004228637.tif 000008
【００４５】
【数８】
0004228637.tif 000009
【００４６】
【数９】
0004228637.tif 000010
【００４７】
但し、定数Ｒｍは、それぞれ同じ明度のマゼンタを表現するのに必要な淡マゼンタのインクの使用量の、濃マゼンタのインクの使用量に対する比である。上限ＭE、下限ＭS、定数Ｒｍは画質の粒状性に鑑みて適切に設定される。
【００４８】
図１６は濃マゼンタ、淡マゼンタのインクの使用量Ｍ2，Ｌｍ2の、マゼンタについて設定されたインクの使用量Ｍ1に対する関係を示すグラフであり、式（７）〜（９）を表している。
【００４９】
式（９）で示されるとおり、上限ＭEよりも、マゼンタについて設定されたインクの使用量Ｍ1が大きい場合には、濃マゼンタのインクの使用量Ｍ8はマゼンタについて設定されたインクの使用量Ｍ1と等しい。よってこの場合のＭ1，Ｍ8の関係を示すグラフは、破線で示された傾き１の直線に載る。
【００５０】
一方、式（７）で示されるとおり、マゼンタについて設定されたインクの使用量Ｍ1が下限ＭS以下の場合には、淡マゼンタのインクの使用量Ｌｍ8はマゼンタについて設定されたインクの使用量Ｍ1のＲｍ倍になる。よってこの場合のＭ1，Ｌｍ8の関係を示すグラフは、鎖線で示された傾きＲｍの直線に載る。
【００５１】
簡単のため、以下では入力信号Ｃi，Ｍi，Ｙiの値がいずれも等しく、シアン、マゼンタ、イエロー、黒について設定されたインクの使用量Ｃ1，Ｍ1，Ｙ1，Ｋ1が図１４に示されたように発生する場合を考える。
【００５２】
図１７は、仮ＣＭＹ濃淡振分ブロック３１０において得られる濃シアン、淡シアンのインクの使用量Ｃ8，Ｌｃ8と、入力信号Ｃiとの関係を示すグラフである。また図１８は、仮ＣＭＹ濃淡振分ブロック３１０において得られる濃マゼンタ、淡マゼンタのインクの使用量Ｍ8，Ｌｍ8と、入力信号Ｍiとの関係を示すグラフである。また図１９は、仮ＣＭＹ濃淡振分ブロック３１０において得られるイエローのインクの使用量Ｙ8と、入力信号Ｙiとの関係を示すグラフである。
【００５３】
図１７において、上限ＣEよりも定数ＫSが大きい場合を示している。また、図１８においては、定数ＫSが上限ＭEよりも小さく、下限ＭSよりも大きい場合を示している。なお図１８において、図１６に示されたＭ1がＭS以上ＭE以下の領域のグラフを、仮想線Ｊとして鎖線で示している。
【００５４】
黒のインクを使用することにより、入力信号Ｃi，Ｍi，Ｙiの値が定数ＫSよりも大きい領域では、表現すべき明度が低くなるにつれ、シアン、マゼンタ、イエローについて設定されたインクの使用量Ｃ1，Ｍ1，Ｙ1が減少するので、淡シアン、淡マゼンタのインクの使用量Ｌｃ8，Ｌｍ8は大きくなる。また濃シアン、濃マゼンタのインクの使用量Ｃ8，Ｍ8は定数ＫSをピークとしてその近傍で多くなる。イエローに関しては明度の異なるインクが準備されていないので、図１９に示されたグラフの形状は、図１４に示されたグラフの形状をそのまま反映している。
【００５５】
次に述べる実施の形態では、明度の低い領域で黒のインクを使用しつつも、淡いインクの発生を低減し、インクの使用量を少なくする技術が紹介される。
【００５６】
（ウ）実施の形態の説明：
図１は本発明の実施の形態を説明するブロック図である。本実施の形態において、各ブロックはそれぞれへの入力から出力へと変換する機能を模式的に例示するものである。従って、本発明の実施の形態を実現するに当たり、必ずしもこれらのブロックに分解されて構成する必要はなく、またハードウェアで構成するか、ソフトウェアで構成するかを問わない。各ブロックをハードウェアで構成してもよいし、各ブロックを統合したハードウェアを採用してもよいし、各ブロックを統合した機能を果たすソフトウェアで本発明の実施の形態を実現してもよい。各部ロックの機能をソフトウェアで実現した場合には、各ブロックで示された機能は、ソフトウェアで実現されるステップとして把握することができる。
【００５７】
本実施の形態では、図１３を用いて説明したＫ発生ブロック１００と、ＣＭＹ濃淡振分ブロック２００とを備える。そしてＣＭＹ濃淡振分ブロック２００は、濃淡振分用信号発生ブロック２１０と、仮濃淡振分ブロック２２０と、Ｋ成分除去ブロック２３０と、インク量制限ブロック２４０とを、それぞれ備えている。
【００５８】
濃淡振分用信号発生ブロック２１０には、シアン、マゼンタ、イエロー、黒について設定されたインクの使用量Ｃ1，Ｍ1，Ｙ1，Ｋ1が入力される。そして黒について設定されたインクの使用量Ｋ1を用いて、シアン、マゼンタ、イエローについて設定されたインクの使用量を見かけ上増大させる処理を行って、濃淡振分用インク量Ｃ2，Ｍ2，Ｙ2を発生する。これらは典型的には、見かけ上、黒のインクの発生が無かった場合を想定したシアン、マゼンタ、イエローについて設定されたインクの使用量となる。具体的には式（１０）に基づいて上記の処理が行われる。
【００５９】
【数１０】
0004228637.tif 000011
【００６０】
ここで、第１乃至第３の係数α、β、γはあるインク量の黒を表現するために必要なシアン、マゼンタ、イエローのインクの使用量に基づいて決定される。たとえば、まず黒インクのみを、あるインク量Ｋａである領域内に黒色のパッチとして印刷する。印刷された黒色のパッチを測色して色彩値、たとえばＣＩＥ  Ｌ*ａ*ｂ*の値を得る。そして黒色のパッチを得た領域と同じ形状の領域において印刷することにより、上述の黒色のパッチの色彩値と等しいか、または最も近い値を再現するシアン、マゼンタ、イエローのインクの使用量Ｃａ，Ｍａ，Ｙａを求める。第１の係数αはＫａに対するＣａの比として、第２の係数βはＫａに対するＭａの比として、第３の係数γはＫａに対するＹａの比として、それぞれ決定される。
【００６１】
但し、インク量Ｋａを１種類に固定することなく、明度の異なるグレーを印刷する黒色の複数のインク量Ｋａ，Ｋｂ，Ｋｃ，…に基づいて第１乃至第３の係数α、β、γを決定しても良い。インク量Ｋａ，Ｋｂ，Ｋｃ，…のそれぞれのグレーの色彩値と等しいか、または最も近い値を再現するシアン、マゼンタ、イエローのインクの使用量の組（Ｃａ，Ｍａ，Ｙａ），（Ｃｂ，Ｍｂ，Ｙｂ），（Ｃｃ，Ｍｃ，Ｙｃ），…を求め、第１の係数αをＣａ／Ｋａ，Ｃｂ／Ｋｂ，Ｃｃ／Ｋｃ，…の平均値として、第２の係数βをＭａ／Ｋａ，Ｍｂ／Ｋｂ，Ｍｃ／Ｋｃ，…の平均値として、第３の係数γをＹａ／Ｋａ，Ｙｂ／Ｋｂ，Ｙｃ／Ｋｃ，…の平均値として、それぞれ決定してもよい。
【００６２】
図２は濃淡振分用インク量Ｃ2，Ｍ2，Ｙ2の、入力信号Ｃi，Ｍi，Ｙiに対する関係を示すグラフである。簡単のため、α、β、γは相互に等しいとしている。また本発明の効果をわかりやすく示すために、α（＝β＝γ）は１より大きい場合が図示されている。入力信号Ｃi，Ｍi，Ｙiが定数ＫSよりも小さい場合には黒について設定されるインクの使用量Ｋ1の値は零であるので、濃淡振分用インク量Ｃ2，Ｍ2，Ｙ2はシアン、マゼンタ、イエローについて設定されたインクの使用量Ｃ1，Ｍ1，Ｙ1と等しい。
【００６３】
しかしながら、入力信号Ｃi，Ｍi，Ｙiが定数ＫSよりも大きい場合にはＫ1の値は正であり、上述のとおりα（＝β＝γ）は１より大きい。従って、濃淡振分用インク量Ｃ2，Ｍ2，Ｙ2のグラフの傾きは、入力信号Ｃi，Ｍi，Ｙiが定数ＫSよりも小さい場合のシアン、マゼンタ、イエローについて設定されたインクの使用量Ｃ1，Ｍ1，Ｙ1のグラフの傾きよりも大きい。
【００６４】
そしてこのように、見かけ上、シアン、マゼンタ、イエローについて設定されたインクの使用量Ｃ1，Ｍ1，Ｙ1に対して黒のインクの影響を考慮した濃淡振分用インク量Ｃ2，Ｍ2，Ｙ2について、仮濃淡振分ブロック２２０により濃淡振分を行い、濃シアン、淡シアン、濃マゼンタ、淡マゼンタ、イエローの５色のインクの仮使用量Ｃ3，Ｌｃ3，Ｍ3，Ｌｍ3，Ｙ3，Ｋ3を求める。この処理は、仮ＣＭＹ濃淡振分ブロック３１０について色同士の相互の関与なしに、濃淡振分が行われる場合として式（４）〜（９）を用いた処理と同様に行われる。具体的には式（１１）〜（１７）に基づいて処理される。
【００６５】
【数１１】
0004228637.tif 000012
【００６６】
【数１２】
0004228637.tif 000013
【００６７】
【数１３】
0004228637.tif 000014
【００６８】
【数１４】
0004228637.tif 000015
【００６９】
【数１５】
0004228637.tif 000016
【００７０】
【数１６】
0004228637.tif 000017
【００７１】
【数１７】
0004228637.tif 000018
【００７２】
図３は濃シアン、淡シアンのインクの仮使用量Ｃ3，Ｌｃ3の、入力信号Ｃiに対する関係を示すグラフである。上限ＣEが黒のインクが発生する下限ＫSよりも小さいので、黒のインクが用いられる場合には、淡シアンのインクは使用されない。
【００７３】
図４は濃マゼンタ、淡マゼンタのインクの仮使用量Ｍ3，Ｌｍ3の、入力信号Ｍiに対する関係を示すグラフである。上限ＭEが黒のインクが発生する下限ＫSよりも大きく、また第１の係数αがηより大きい。従って上限ＭEよりも小さい値ＭE’以上の入力信号Ｍiについて、淡マゼンタのインクは使用されない（Ｌｍ3＝０）。なお、図１６に示されたＭ1がＭS以上ＭE以下の領域のグラフを、仮想線Ｊとして鎖線で示している。
【００７４】
図５はイエローのインクの仮使用量Ｙ3の、入力信号Ｙiに対する関係を示すグラフである。この色には明度の異なるインクは準備されていないので、図２に示されたグラフの形がそのまま反映されたグラフとなる。
【００７５】
濃シアン、淡シアン、濃マゼンタ、淡マゼンタ、イエローの５色のインクの仮使用量Ｃ3，Ｌｃ3，Ｍ3，Ｌｍ3，Ｙ3，Ｋ3は、Ｋ成分除去ブロック２３０において、濃淡振幅用信号発生ブロック２１０で加算された黒のインクの寄与量が差し引かれる。
【００７６】
まず濃シアン、淡シアンのインクの使用量Ｃ4，Ｌｃ4の求め方について説明する。具体的には、式（１０）でシアンについて設定されたインクの使用量Ｃ1に対して加算されたαＫ1を濃シアン、淡シアンのインクの仮使用量Ｃ3，Ｌｃ3から差し引く。但し、明度の低い濃シアンの仮使用量Ｃ3から優先的に差し引く。既に濃シアン、淡シアンのインクの仮使用量Ｃ3，Ｌｃ3は、明度の低い領域において濃シアンの方が淡シアンと比較して支配的に使用されるからである。よって濃シアンの仮使用量Ｃ3からαＫ1を差し引くことができる場合には式（１８）で表される処理が行われる。
【００７７】
【数１８】
0004228637.tif 000019
【００７８】
一方、濃シアンの仮使用量Ｃ3からαＫ1を差し引くことができない場合には、まず濃シアンの仮使用量Ｃ3を零とする。そして更に差し引くべき（αＫ1−Ｃ3）については、淡シアンの仮使用量Ｌｃ3からこれを差し引く。但し、淡シアンが濃シアンと同じ明度を与えるためには、濃シアンの使用量のＲｃ倍が必要であることを考慮する。よって式（１９）で表される処理が行われる。
【００７９】
【数１９】
0004228637.tif 000020
【００８０】
このようにして求められた濃シアン、淡シアンのインクの使用量Ｃ4，Ｌｃ4は、シアンについて設定されたインクの使用量Ｃ1を反映している。このことを以下に説明する。まず、式（１８），（１９）のいずれの場合にも式（２０）が成立する。
【００８１】
【数２０】
0004228637.tif 000021
【００８２】
一方、式（１１）〜（１３）のいずれの場合からも式（２１）が成立する。
【００８３】
【数２１】
0004228637.tif 000022
【００８４】
式（２１）から式（２２）が導かれ、これに基づいて式（２０）は式（２３）に変形される。
【００８５】
【数２２】
0004228637.tif 000023
【００８６】
【数２３】
0004228637.tif 000024
【００８７】
式（２３）の左辺は、定数Ｒｃの意味を考慮すれば、濃シアン、淡シアンのインクを用いて表現されるシアンの明度を示している。一方、右辺はシアンについて設定された明度を示している。よって、濃淡振分用信号発生ブロック２１０と、仮濃淡振分ブロック２２０と、Ｋ成分除去ブロック２３０とによる処理の前後で、シアンの明度を異ならせることがない。
【００８８】
次に濃マゼンタ、淡マゼンタのインクの使用量Ｍ4，Ｌｍ4の求め方について説明する。具体的には、式（１０）でマゼンタについて設定されたインクの使用量Ｍ1に対して加算されたβＫ1を濃マゼンタ、淡マゼンタのインクの仮使用量Ｍ3，Ｌｍ3から差し引く。但し、明度の低い濃マゼンタの仮使用量Ｍ3から優先的に差し引く。既に濃マゼンタ、淡マゼンタのインクの仮使用量Ｍ3，Ｌｍ3は、明度の低い領域において濃シアンの方が淡シアンと比較して支配的に使用されるからである。よって濃マゼンタの仮使用量Ｍ3からβＫ1を差し引くことができる場合には式（２４）で表される処理が行われる。
【００８９】
【数２４】
0004228637.tif 000025
【００９０】
一方、濃マゼンタの仮使用量Ｍ3からβＫ1を差し引くことができない場合には、まず濃マゼンタの仮使用量Ｍ3を零とする。そして更に差し引くべき（βＫ1−Ｍ3）については、淡マゼンタの仮使用量Ｌｍ3からこれを差し引く。但し、淡マゼンタが濃マゼンタと同じ明度を与えるためには、濃マゼンタの使用量のＲｍ倍が必要であることを考慮する。よって式（２５）で表される処理が行われる。
【００９１】
【数２５】
0004228637.tif 000026
【００９２】
このようにして求められた濃マゼンタ、淡マゼンタのインクの使用量Ｍ4，Ｌｍ4は、マゼンタについて設定されたインクの使用量Ｍ1を反映している。このことはシアンについて式（２０）〜（２５）を用いて説明したのと同様して得られる式（２６）によって示される。
【００９３】
【数２６】
0004228637.tif 000027
【００９４】
なお、イエローに関しては式（２７）に示されるようにして、インクの使用量Ｙ4は、イエローについて設定されたインクの使用量Ｙ1を反映している。
【００９５】
【数２７】
0004228637.tif 000028
【００９６】
よって、濃淡振分用信号発生ブロック２１０と、仮濃淡振分ブロック２２０と、Ｋ成分除去ブロック２３０とによる処理の前後で、シアンと同様に、マゼンタ及びイエローもその明度を異ならせることがない。
【００９７】
図６は濃シアン、淡シアンのインクの使用量Ｃ4，Ｌｃ4の、入力信号Ｃiに対する関係を示すグラフである。図１７に示された場合と比較して、明度が低い（入力信号Ｃiの値が大きい）領域での淡シアンのインクの使用量Ｌｃ8が、濃シアンのインクの使用量Ｃ4に変換されていることがわかる。従って、明度の低い領域で黒のインクを使用しつつも、淡シアンのインクの発生を低減している。
【００９８】
図７は濃マゼンタ、淡マゼンタのインクの使用量Ｍ4，Ｌｍ4の、入力信号Ｍiに対する関係を示すグラフである。図１８に示された場合と比較して、明度が低い（入力信号Ｍiの値が大きい）領域での淡マゼンタのインクの使用量Ｌｍ8が、濃シアンのインクの使用量Ｍ4に変換されていることがわかる。従って、明度の低い領域で黒のインクを使用しつつも、淡マゼンタのインクの発生を低減している。
【００９９】
図８はイエローのインクの使用量Ｙ4の入力信号Ｙiに対する関係を示すグラフである。この色には明度の異なるインクは準備されていないので、図１９に示されたグラフと同じ形を呈している。
【０１００】
以上のようにして求められた濃シアン、淡シアン、濃マゼンタ、淡マゼンタ、イエローの５色のインクの仮使用量Ｃ4，Ｌｃ4，Ｍ4，Ｌｍ4，Ｙ4、及びＫ発生ブロック１００によって得られた黒のインクの使用量Ｋ1とは、インク量制限ブロック２４０に与えられる。そしてこれらの総和が、所定の上限値Ｚを超えないように濃シアン、淡シアン、濃マゼンタ、淡マゼンタ、イエローの各色のインクの使用量が、それぞれＣ5，Ｌｃ5，Ｍ5，Ｌｍ5，Ｙ5に再設定される。例えば所定の上限値Ｚを導入して式（２８）が成立する場合、公知の手法でインクの使用量の再設定が行われる。
【０１０１】
【数２８】
0004228637.tif 000029
【０１０２】
このようにして得られたインクの使用量Ｃ5，Ｌｃ5，Ｍ5，Ｌｍ5，Ｙ5，Ｋ1が、それぞれ実際に使用すべきインクの使用量Ｃ0，Ｌｃ0，Ｍ0，Ｌｍ0，Ｙ0，Ｋ0として採用される。
【０１０３】
図９及び図１０はいずれも、上限ＭEのみならず、濃マゼンタのインクが発生する下限ＭSもが、黒のインクの使用が発生する下限ＫSよりも大きい場合を示している。
【０１０４】
図９は濃マゼンタ、淡マゼンタのインクの仮使用量Ｍ3，Ｌｍ3の、入力信号Ｍiに対する関係を示すグラフである。第２の係数βがηより大きいので、上限ＭE、濃マゼンタのインクが発生する下限ＭSは、それぞれ見かけ上ＭE’，ＭS’に減少する。
【０１０５】
図１０は濃マゼンタ、淡マゼンタのインクの使用量Ｍ4，Ｌｍ4の、入力信号Ｍiに対する関係を示すグラフである。この場合にも図１８と比較してわかるとおり、淡マゼンタのインクの使用量Ｌｍ4は同Ｌｍ8と比較して小さい。
【０１０６】
このような、淡インクの使用量の低減を、シアンを例にとって以下に定量的に式で説明する。
【０１０７】
ｉ）濃淡振分用インク量Ｃ2が上限ＣEよりも大きい場合．
この場合には、式（１３）から式（２９）が得られる。
【０１０８】
【数２９】
0004228637.tif 000030
【０１０９】
よって淡シアンのインクの使用量Ｌｃ4については、式（１９）ではなく、式（１８）が採用されて式（３０）で求められる。
【０１１０】
【数３０】
0004228637.tif 000031
【０１１１】
よってこの場合には淡シアンのインクの使用量Ｌｃ8によらず、同Ｌｃ4は同Ｌｃ8以下となる。
【０１１２】
ｉｉ）濃淡振分用インク量Ｃ2が下限ＣS以下である場合．
この場合には、式（１１）から式（３１）が得られる。
【０１１３】
【数３１】
0004228637.tif 000032
【０１１４】
よって淡シアンのインクの使用量Ｌｃ4については、式（１８）ではなく、式（１９）が採用されて式（３２）で求められる。
【０１１５】
【数３２】
0004228637.tif 000033
【０１１６】
一方、この場合には、シアンについて設定されたインクの使用量Ｃ1も下限ＣS以下である。従って式（４）に基づいて式（３３）が成立する。
【０１１７】
【数３３】
0004228637.tif 000034
【０１１８】
式（３２），（３３）から、この場合には淡シアンのインクの使用量Ｌｃ4は同Ｌｃ8と等しくなる。
【０１１９】
ｉｉｉ）濃淡振分用インク量Ｃ2が下限ＣSよりも大きく、上限ＣEよりも小さい場合．
この場合、式（１２）から式（３４）が得られる。
【０１２０】
【数３４】
0004228637.tif 000035
【０１２１】
さて、シアンについて設定されたインクの使用量Ｃ1が下限ＣS以下である場合には、更に濃シアンのインクの仮使用量Ｃ3がαＫ1以上であるかこれ未満であるかの場合分けをして考える。
【０１２２】
濃シアンのインクの仮使用量Ｃ3がαＫ1以上である場合には式（１８），（３４）から式（３５）が得られる。
【０１２３】
【数３５】
0004228637.tif 000036
【０１２４】
但し、この場合には式（３６）が成立する。
【０１２５】
【数３６】
0004228637.tif 000037
【０１２６】
従って、式（３５），（３６）から式（３７）が成立する。
【０１２７】
【数３７】
0004228637.tif 000038
【０１２８】
また濃シアンのインクの仮使用量Ｃ3がαＫ1未満である場合には、式（１９），（３４）に基づいて式（３８）が成立する。
【０１２９】
【数３８】
0004228637.tif 000039
【０１３０】
よってシアンについて設定されたインクの使用量Ｃ1が下限ＣS以下である場合には、濃シアンのインクの仮使用量Ｃ3によらず、淡シアンのインクの使用量Ｌｃ4は同Ｌｃ8以下となる。
【０１３１】
一方、シアンについて設定されたインクの使用量Ｃ1が下限ＣSを超える場合であっても、式（３９）が成立する。
【０１３２】
【数３９】
0004228637.tif 000040
【０１３３】
よって淡シアンのインクの使用量Ｌｃ8は式（５）が採用されて式（４０）として求められる。
【０１３４】
【数４０】
0004228637.tif 000041
【０１３５】
ここで式（１２）から式（４１）が成立する。
【０１３６】
【数４１】
0004228637.tif 000042
【０１３７】
従って、式（１２），（１８）から式（４２）が成立する。
【０１３８】
【数４２】
0004228637.tif 000043
【０１３９】
式（４０），（４２）について、シアンについて設定されたインクの使用量Ｃ1は常に濃淡振分用インク量Ｃ2以下であるので、淡シアンのインクの使用量Ｌｃ4は同Ｌｃ8以下となる。
【０１４０】
（エ）本発明の適用例：
図１１は本発明が適用可能な印刷システムの構成を示すブロック図である。同図においては、印刷システムは概略、コンピュータ１０と、いずれもこれに接続されるスキャナ２０及びカラープリンタ３０とから構成されている。そして、当該コンピュータ１０に所定のプログラムがロードされるとともに、実行されることにより、上述の濃淡振分を処理する濃淡振分装置として機能する。
【０１４１】
コンピュータ１０はバス１２によって相互に接続された各部を備えている。ＣＰＵ１１は、所定のプログラムに従って、上述の濃淡振分などに関する動作を制御するための各種演算処理を実行する。
【０１４２】
ＲＯＭ１３は、ＣＰＵ１１で各種演算処理を実行するのに必要なプログラムやデータを予め格納する。ＲＡＭ１４はＣＰＵ１１で各種演算処理を実行するのに必要な各種プログラムやデータが一時的に読み書きされるメモリである。入力インタフェ−ス１５は、スキャナ２０やキーボード２１ａやマウス２１ｂなどの入力機器２１からの信号の入力を制御する。出力インタフェース１６は、カラープリンタ３０へのデータの出力を制御する。ＣＲＴドライバ（図中「ＣＲＴＤＲＶ」と表記）１７は、カラー表示可能なＣＲＴ２２への信号出力を制御する。ディスクコントローラ（図中「ＤＣ」と表記）１８は、ハードディスク２３やＣＤ−ＲＯＭドライブ２４を駆動する。ハードディスク２３には、ＲＡＭ１４にロードされて実行可能な各種プログラムやデバイスドライバの形式で提供される各種プログラムなどが記憶されている。従って、ディスクコントローラ１８は、ハードディスク２３やＣＤ−ＲＯＭ２４ａからプログラムなどを読み取り、コンピュータ１０にて実行可能にしているとともに、図示しないフレキシブルドライブとの間のデータの授受を制御する。
【０１４３】
このほか、バス１２には、シリアル入出力インタフェース（ＳＩＯ）１９が接続されている。このＳＩＯ１９は、モデム２５に接続されており、モデム２５を介して、公衆電話回線ＰＮＴに接続されている。即ち、コンピュータ１０は、このＳＩＯ１９及びモデム２５を介して、外部のネットワークに接続されており、特定のサーバー２６に接続することにより、所定の処理に必要なプログラムをハードディスク２３にダウンロードすることも可能になっている。
【０１４４】
図１２は、本印刷システムのソフトウェアの構成を示すブロック図である。同図において、コンピュータ１０では、所定のオペレーティングシステムの下で、アプリケーションプログラム４０が動作する。このオペレーティングシステムには、ＣＲＴドライバ１７やプリンタドライバ４１が組み込まれており、アプリケーションプログラム４０からはプリンタドライバ４１を介して、カラープリンタ３０に転送するための画像データＤＴ１が出力されることになる。
【０１４５】
また、画像のレタッチなどを行うアプリケーションプログラム４０は、スキャナ２０から画像を読み込み、これに対して所定の処理を行いつつ、ＣＲＴドライバ１７を介してＣＲＴ２２に画像を表示する。このスキャナ２０から供給される画像データＤＴ２は、カラー原稿から読み取られた場合、レッド（Ｒ），グリーン（Ｇ），ブルー（Ｂ）の３色の色成分から構成される。
【０１４６】
アプリケーションプログラム４０が、印刷命令を発すると、コンピュータ１０のプリンタドライバ４１が、画像情報をアプリケーションプログラム４０から受け取り、これをカラープリンタ３０にて処理可能な信号ＤＴ１に変換する。上述の実施の形態に即して言えば、信号ＤＴ１は、濃シアン、淡シアン、濃マゼンタ、淡マゼンタ、イエロー、黒の７色のインクの使用量Ｃ0，Ｍ0，Ｙ0，Ｌｃ0，Ｌｍ0，Ｋ0についての情報を有している。
【０１４７】
プリンタドライバ４１は、内部に解像度変換モジュール４１ａと、色補正モジュール４１ｂと、色補正テーブルＬＵＴと、ハーフトーンモジュール４１ｃと、ラスタライザ４１ｄとを備えている。
【０１４８】
解像度変換モジュール４１ａは、アプリケーションプログラム４０が扱っている画像データＤＴ２の解像度、即ち単位長さ当たりの画素数をプリンタドライバ４１にて扱うことができる解像度に変換する。このように解像度が変換された画像データＤＴ２は、まだＲＧＢの３色からなる画像情報である。
【０１４９】
次に色補正モジュール４１ｂは色補正テーブルＬＵＴに基づいて、各画素毎にカラープリンタ３０が使用する種々のインクの使用量を決定する。ＲＧＢの３色の信号を入力信号Ｃｉ，Ｍｉ，Ｙｉに変換し、更に上述の実施の形態に示された手法で更に入力信号Ｃｉ，Ｍｉ，Ｙｉからインクの使用量Ｃ0，Ｍ0，Ｙ0，Ｋ0，Ｌｃ0，Ｌｍ0へ変換するためのテーブルを、色補正テーブルＬＵＴとして採用することができる。
【０１５０】
ハーフトーンモジュール４１ｃは、ドットを分散して形成することによりカラープリンタ３０で種々の階調値を表現するためのハーフトーン処理を実行する。ラスタライザ４１ｄはカラープリンタ３０に転送すべきデータ順にインクの使用量を並べ替え、最終的な画像データＤＴ１としてカラープリンタ３０に出力される。
【０１５１】
ここでは、カラープリンタ３０は画像データ処理を実行しないで印刷を行う構成を採用しているが、カラープリンタ３０にて所定の画像データ処理を実行する構成を採用してもよい。その場合には上述の色補正テーブルＬＵＴ及び色補正モジュール４１ｂはコンピュータ１０にではなく、カラープリンタ３０に備えられることになる。
【図面の簡単な説明】
【図１】本発明の実施の形態を説明するブロック図である。
【図２】濃淡振分用インク量Ｃ2，Ｍ2，Ｙ2の、入力信号Ｃi，Ｍi，Ｙiに対する関係を示すグラフである。
【図３】濃シアン、淡シアンのインクの仮使用量Ｃ3，Ｌｃ3の、入力信号Ｃiに対する関係を示すグラフである。
【図４】濃マゼンタ、淡マゼンタのインクの仮使用量Ｍ3，Ｌｍ3の、入力信号Ｍiに対する関係を示すグラフである。
【図５】イエローのインクの仮使用量Ｙ3の入力信号Ｙiに対する関係を示すグラフである。
【図６】濃シアン、淡シアンのインクの使用量Ｃ4，Ｌｃ4の、入力信号Ｃiに対する関係を示すグラフである。
【図７】濃マゼンタ、淡マゼンタのインクの使用量Ｍ4，Ｌｍ4の、入力信号Ｍiに対する関係を示すグラフである。
【図８】イエローのインクの使用量Ｙ4の入力信号Ｙiに対する関係を示すグラフである。
【図９】濃マゼンタ、淡マゼンタのインクの仮使用量Ｍ3，Ｌｍ3の、入力信号Ｍiに対する関係を示すグラフである。
【図１０】濃マゼンタ、淡マゼンタのインクの使用量Ｍ4，Ｌｍ4の、入力信号Ｍiに対する関係を示すグラフである。
【図１１】本発明が適用可能な印刷システムの構成を示すブロック図である。
【図１２】本印刷システムのソフトウェアの構成を示すブロック図である。
【図１３】発明の前駆的思想を説明するためのブロック図である。
【図１４】黒のインクの使用量Ｋ1の、入力信号Ｃi，Ｍi，Ｙiに対する関係を示すグラフである。
【図１５】濃シアン、淡シアンのインクの使用量Ｃ8，Ｌｃ8の、シアンについて設定されたインクの使用量Ｃ1に対する関係を示すグラフである。
【図１６】濃マゼンタ、淡マゼンタのインクの使用量Ｍ2，Ｌｍ2の、マゼンタについて設定されたインクの使用量Ｍ1に対する関係を示すグラフである。
【図１７】仮ＣＭＹ濃淡振分ブロック３１０において得られる濃シアン、淡シアンのインクの使用量Ｃ8，Ｌｃ8と、入力信号Ｃiとの関係を示すグラフである。
【図１８】仮ＣＭＹ濃淡振分ブロック３１０において得られる濃マゼンタ、淡マゼンタのインクの使用量Ｍ8，Ｌｍ8と、入力信号Ｍiとの関係を示すグラフである。
【図１９】仮ＣＭＹ濃淡振分ブロック３１０において得られるイエローのインクの使用量Ｙ8と、入力信号Ｙiとの関係を示すグラフである。
【符号の説明】
４０…アプリケーション
４１…プリンタドライバ
４１ｂ…色補正モジュール
１００…Ｋ発生ブロック
２００…ＣＭＹ濃淡振分ブロック
２１０…濃淡振分用信号発生ブロック
２２０…仮濃淡振分ブロック
２３０…Ｋ成分除去
２４０…インク量制限ブロック
【図１】
0004228637.tif 000044
【図２】
0004228637.tif 000045
【図３】
0004228637.tif 000046
【図４】
0004228637.tif 000047
【図５】
0004228637.tif 000048
【図６】
0004228637.tif 000049
【図７】
0004228637.tif 000050
【図８】
0004228637.tif 000051
【図９】
0004228637.tif 000052
【図１０】
0004228637.tif 000053
【図１１】
0004228637.tif 000054
【図１２】
0004228637.tif 000055
【図１３】
0004228637.tif 000056
【図１４】
0004228637.tif 000057
【図１５】
0004228637.tif 000058
【図１６】
0004228637.tif 000059
【図１７】
0004228637.tif 000060
【図１８】
0004228637.tif 000061
【図１９】
0004228637.tif 000062